(57)【要約】【課題】袋体内に形成された密閉空間を圧縮して密閉空間内の空気を効率良く排気することができる圧縮収納袋を提供する。【解決手段】圧縮収納袋１は、開口部６が形成された端部７、及び、端部７と反対側の端部８を含む扁平袋体３と、側部９、及び、側部９と反対側の側部１０を含み、側部９が扁平袋体３の端部８と接続され、且つ、側部１０が扁平袋体３と平面視において重なっている扁平筒体４と、扁平筒体４内に収容される板体５と、を有する。扁平袋体３は、開口部６を封止して扁平袋体３内に密閉空間を形成する封止部１５と、扁平袋体３の端部７側に設けられ、且つ、密閉空間内の空気を排気する排気弁部１６と、を含む。【選択図】図１
0003217719.tif 000002
【実用新案登録請求の範囲】
【請求項１】
被収納物を圧縮して収納する圧縮収納袋において、
開口部が形成された第１端部、及び、前記第１端部と反対側の第２端部を含む扁平袋体と、
第１側部、及び、前記第１側部と反対側の第２側部を含み、前記第１側部が前記扁平袋体の前記第２端部と接続され、且つ、前記第２側部が前記扁平袋体と平面視において重なっている扁平筒体と、
前記扁平筒体内に収容される板体と、
を有し、
前記扁平袋体は、
前記開口部を封止して前記扁平袋体内に密閉空間を形成する封止部と、
前記扁平袋体の前記第１端部側に設けられ、且つ、前記密閉空間内の空気を排気する排気弁部と、
を含む、圧縮収納袋。
【請求項２】
請求項１に記載の圧縮収納袋において、
前記扁平袋体は、
平面視において前記扁平筒体よりも前記第１端部側に配置された本体部と、
平面視において前記扁平筒体と重なり、前記扁平筒体よりも前記扁平袋体の厚さ方向における第１の側に配置され、且つ、前記本体部と連通した第１袋部と、
を含む、圧縮収納袋。
【請求項３】
請求項２に記載の圧縮収納袋において、
前記扁平筒体及び前記第１袋部は、前記本体部に対して折り曲げ可能であり、
前記板体は、前記本体部に対して折り曲げられた前記扁平筒体が前記本体部上に前記第１袋部を介して配置された状態で、前記扁平筒体内に収容された前記板体が前記本体部に前記第１袋部を介して押し付けられることにより、前記密閉空間を圧縮し、
前記排気弁部は、圧縮された前記密閉空間内の空気を排気する、圧縮収納袋。
【請求項４】
請求項２又は３に記載の圧縮収納袋において、
前記扁平袋体は、平面視において前記扁平筒体と重なり、前記扁平筒体よりも前記扁平袋体の厚さ方向における前記第１の側と反対側に配置され、且つ、前記本体部と連通した第２袋部を含む、圧縮収納袋。
【請求項５】
請求項１に記載の圧縮収納袋において、
前記扁平袋体は、前記扁平筒体内に収容された前記板体の周りに巻き付け可能であり、
前記板体は、前記扁平筒体内に収容された前記板体の周りに前記扁平袋体が巻き付けられることにより、前記密閉空間を圧縮し、
前記排気弁部は、圧縮された前記密閉空間内の空気を排気する、圧縮収納袋。
【請求項６】
請求項１乃至５のいずれか一項に記載の圧縮収納袋において、
前記扁平筒体内に収容された前記板体の、前記扁平筒体の軸方向における第２の側の第１部分は、前記扁平筒体内に収容された前記板体の、前記第１部分よりも前記軸方向における前記第２の側と反対側の第２部分に対して折り曲げ可能である、圧縮収納袋。
【考案の詳細な説明】
【技術分野】
【０００１】  本考案は、衣類等の圧縮収納袋に関するものである。
【背景技術】
【０００２】  例えば衣類、又は、布団若しくは毛布等の寝具類よりなる被収納物を袋体内に収納して密閉し、密閉した袋体内の空気を排気することにより、被収納物をコンパクトに圧縮して収納する圧縮収納袋がある。【０００３】  実用新案登録第３１３９９６２号公報（特許文献１）には、袋体内に開口部から布団・衣類を収納して開口部を閉鎖すると共に、袋体内の空気を排出して布団・衣類を圧縮した状態で収納するようにした圧縮収納袋に関する技術が開示されている。上記特許文献１には、圧縮収納袋において、袋体の開口部に設けられた自己粘着式シール構造による密閉手段と、真空掃除機または吸気機構の排気ノズルを接続して袋体内の空気を排出するよう袋体側面の任意の箇所に設けられた排気弁機構とを有する技術が開示されている。【０００４】  実用新案登録第３１６１１２９号公報（特許文献２）には、袋体には密閉手段を有する開口端を備えさせると共に袋体を内外に貫通する透孔を備えさせ、透孔に排気弁を取り付けてなる圧縮収納袋に関する技術が開示されている。上記特許文献２には、排気弁は、透孔より袋体の外方に開口する外側開口部と袋体内に開口する内側開口部とを備えた弁ケースと、弁ケース内に配設した弁体とよりなり、弁体は、排気時には弁体と外側開口部との間及び弁体と内側開口部との間にそれぞれ空気通路を維持し、排気後は外気圧により内側開口部を密閉するように可撓性材料により形成する技術が開示されている。【０００５】  特表２０１２−５０１９１８号公報（特許文献３）には、織物製品等の物品の保管用カバーにおいて、垂直に延在し、その上端部に少なくとも１個の物品を挿入するための開口部を備えた第１の包みと、第１の包みの少なくとも下部が収められる平行六面体ベースを形成するように折畳み手段を備えた板と、を備える技術が開示されている。上記特許文献３には、当該保管用カバーにおいて、第１の包みの下端部より下側で水平に組み込まれた第２の包みを更に備え、第２の包みは、板より僅かに大きい寸法を有し、板を第２の包み内に導入するための少なくとも１個の開口部を備える技術が開示されている。
【先行技術文献】
【特許文献】
【０００６】
【特許文献１】実用新案登録第３１３９９６２号公報
【特許文献２】実用新案登録第３１６１１２９号公報
【特許文献３】特表２０１２−５０１９１８号公報
【考案の概要】
【考案が解決しようとする課題】
【０００７】  上記特許文献１には、真空掃除機または吸気機構の排気ノズルを接続して袋体内の空気を排出するよう袋体の側面の任意の箇所に排気弁機構が設けられることが記載されている。【０００８】  しかし、昨今、電気掃除機として、例えばスタンド式掃除機等、排気弁部と容易に接続することができず、袋体内に形成された密閉空間を圧縮することができない電気掃除機しか持たない家庭が増えてきており、密閉空間を圧縮するために電気掃除機を必要としない圧縮収納袋のニーズが高くなってきている。【０００９】  一方、現在市場に流通している圧縮収納袋であって、電気掃除機を必要としない圧縮収納袋については、密閉空間を圧縮するために極めて大きな腕の力を加える必要があり、電気掃除機を用いて密閉空間を圧縮する場合に比べて、密閉空間を圧縮するために長い時間を要する。即ち、密閉空間を効率良く圧縮することができず、密閉空間内の空気を効率良く排気することができない。【００１０】  本考案は、上述のような従来技術の問題点を解決すべくなされたものであって、被収納物を圧縮して収納する圧縮収納袋において、袋体内に形成された密閉空間を圧縮して密閉空間内の空気を効率良く排気することができる圧縮収納袋を提供することを目的とする。
【課題を解決するための手段】
【００１１】  本願において開示される考案のうち、代表的なものの概要を簡単に説明すれば、次のとおりである。【００１２】  本考案の一態様としての圧縮収納袋は、被収納物を圧縮して収納する圧縮収納袋である。当該圧縮収納袋は、開口部が形成された第１端部、及び、第１端部と反対側の第２端部を含む扁平袋体と、第１側部、及び、第１側部と反対側の第２側部を含み、第１側部が扁平袋体の第２端部と接続され、且つ、第２側部が扁平袋体と平面視において重なっている扁平筒体と、扁平筒体内に収容される板体と、を有する。扁平袋体は、開口部を封止して扁平袋体内に密閉空間を形成する封止部と、扁平袋体の第１端部側に設けられ、且つ、密閉空間内の空気を排気する排気弁部と、を含む。【００１３】  また、他の一態様として、扁平袋体は、平面視において扁平筒体よりも第１端部側に配置された本体部と、平面視において扁平筒体と重なり、扁平筒体よりも扁平袋体の厚さ方向における第１の側に配置され、且つ、本体部と連通した第１袋部と、を含んでもよい。【００１４】  また、他の一態様として、扁平筒体及び第１袋部は、本体部に対して折り曲げ可能であり、板体は、本体部に対して折り曲げられた扁平筒体が本体部上に第１袋部を介して配置された状態で、扁平筒体内に収容された板体が本体部に第１袋部を介して押し付けられることにより、密閉空間を圧縮し、排気弁部は、圧縮された密閉空間内の空気を排気してもよい。【００１５】  また、他の一態様として、扁平袋体は、平面視において扁平筒体と重なり、扁平筒体よりも扁平袋体の厚さ方向における第１の側と反対側に配置され、且つ、本体部と連通した第２袋部を含んでもよい。【００１６】  また、他の一態様として、扁平袋体は、扁平筒体内に収容された板体の周りに巻き付け可能であり、板体は、扁平筒体内に収容された板体の周りに扁平袋体が巻き付けられることにより、密閉空間を圧縮し、排気弁部は、圧縮された密閉空間内の空気を排気してもよい。【００１７】  また、他の一態様として、扁平筒体内に収容された板体の、扁平筒体の軸方向における第２の側の第１部分は、扁平筒体内に収容された板体の、第１部分よりも軸方向における第２の側と反対側の第２部分に対して折り曲げ可能であってもよい。
【考案の効果】
【００１８】  本考案の一態様を適用することで、被収納物を圧縮して収納する圧縮収納袋において、袋体内に形成された密閉空間を圧縮して密閉空間内の空気を効率良く排気することができる。
【図面の簡単な説明】
【００１９】
【図１】実施の形態の圧縮収納袋の一例を示す斜視図である。
【図２】実施の形態の圧縮収納袋の一例を示す斜視図である。
【図３】実施の形態の圧縮収納袋の一例を示す断面図である。
【図４】実施の形態の圧縮収納袋に収容される板体の一例を示す斜視図である。
【図５】実施の形態の圧縮収納袋の使用手順を示す断面図である。
【図６】実施の形態の圧縮収納袋の使用手順を示す断面図である。
【考案を実施するための形態】
【００２０】以下に、本考案の実施の形態について、図面を参照しつつ説明する。
なお、開示はあくまで一例にすぎず、当業者において、考案の主旨を保っての適宜変更について容易に想到し得るものについては、当然に本考案の範囲に含有されるものである。また、図面は説明をより明確にするため、実施の態様に比べ、各部の幅、厚さ、形状等について模式的に表される場合があるが、あくまで一例であって、本考案の解釈を限定するものではない。
【００２１】  また本明細書と各図において、既出の図に関して前述したものと同様の要素には、同一の符号を付して、詳細な説明を適宜省略することがある。
【００２２】  更に、実施の形態で用いる図面においては、構造物を区別するために付したハッチング（網掛け）を図面に応じて省略する場合もある。
【００２３】  （実施の形態）
＜圧縮収納袋＞
初めに、本考案の一実施形態である実施の形態の圧縮収納袋について説明する。本実施の形態の圧縮収納袋は、被収納物を圧縮して収納する圧縮収納袋である。
【００２４】  図１及び図２は、実施の形態の圧縮収納袋の一例を示す斜視図である。図３は、実施の形態の圧縮収納袋の一例を示す断面図である。図４は、実施の形態の圧縮収納袋に収容される板体の一例を示す斜視図である。図２では、理解を簡単にするために、圧縮収納袋の一部を除去した状態を示し、除去した部分を二点鎖線で表している。図３は、図１及び図２のＡ−Ａ線に沿った断面図である。
【００２５】  図１乃至図３に示すように、本実施の形態の圧縮収納袋１は、被収納物２（後述する図５参照）を圧縮して収納する袋体である扁平袋体３と、扁平筒体４と、板体５と、を有する。扁平袋体３は、開口部６が形成された端部７、及び、端部７と反対側の端部８を含む。扁平筒体４は、幅方向における側部９、及び、側部９と反対側の側部１０を含み、側部９が扁平袋体３の端部８と接続され、且つ、側部１０が扁平袋体３と平面視において重なっている。板体５は、扁平筒体４内に収容される。即ち、扁平筒体４の軸方向における板体５の長さは、扁平筒体４の軸方向における扁平筒体４の長さよりも少し短く、扁平筒体４の幅方向における板体５の幅は、扁平筒体４の幅方向における扁平筒体４の幅よりも少し狭い。
【００２６】  図１及び図２に示す例では、軸方向における扁平筒体４の両端部、即ち端部１１及び１２のうちいずれの端部にも開口部１３及び１４が形成されている。しかし、軸方向における扁平筒体の両端部のうち一方の端部のみに開口部が形成されていてもよい。
【００２７】  扁平袋体３は、封止部１５と、排気弁部１６と、を含む。封止部１５は、開口部６を封止して扁平袋体３内に密閉空間ＳＰ１（後述する図５及び図６参照）を形成する。排気弁部１６は、扁平袋体３の端部７側に設けられ、且つ、封止部１５により形成された密閉空間ＳＰ１内の空気を排気する。具体的には、排気弁部１６は、扁平袋体３の中央部よりも端部７側に設けられる。また、後述するように、扁平筒体４を扁平袋体３に対して折り曲げて密閉空間ＳＰ１を圧縮する観点から、排気弁部１６は、扁平袋体３のうちなるべく端部７に近い部分に設けられていることが好ましい。
【００２８】  封止部１５として、開口部６を封止できればよく、特に限定されないが、例えばジッパーシステムを用いることができる。また、排気弁部１６として、扁平袋体３の内部から扁平袋体３の外部には空気を排出可能であるが、扁平袋体３の外部から扁平袋体３の内部には空気が流入できない逆止弁であればよく、特に限定されないが、各種の弁を用いることができる。
【００２９】  昨今、電気掃除機として、例えばスタンド式掃除機等、排気弁部と容易に接続することができず、袋体内に形成された密閉空間を圧縮することができない電気掃除機しか持たない家庭が増えてきており、密閉空間を圧縮するために電気掃除機を必要としない圧縮収納袋のニーズが高くなってきている。
【００３０】  また、現在市場に流通している圧縮収納袋であって、電気掃除機を必要としない圧縮収納袋については、密閉空間を圧縮するために極めて大きな腕の力を加える必要があり、電気掃除機を用いて密閉空間を圧縮する場合に比べて、密閉空間を圧縮するために長い時間を要する。即ち、従来の圧縮収納袋においては、密閉空間を効率良く圧縮することができず、密閉空間内の空気を効率良く排気することができない。
【００３１】  一方、本実施の形態の圧縮収納袋では、扁平袋体３の端部８には、内部に板体５が収容された扁平筒体４の側部９が接続され、扁平筒体４の側部１０は、平面視において扁平袋体３と重なり、扁平筒体４は、平面視において扁平袋体３と重なっている。そのため、扁平筒体４は、扁平筒体４、即ち扁平筒体４内に収容された板体５が、扁平袋体３のうち圧縮収納袋１を広げた状態で平面視において扁平筒体４と重なっていない部分（後述する本体部３１）上に配置されるように、扁平袋体３のうち当該一部分（本体部３１）に対して折り曲げ可能である。また、板体５は、扁平袋体３のうち当該一部分（本体部３１）に対して折り曲げられた扁平筒体４が扁平袋体３のうち当該一部分（本体部３１）上に配置された状態で、扁平筒体４内に収容された板体５が扁平袋体３のうち当該一部分（後述する本体部３１）に押し付けられることにより、密閉空間ＳＰ１（後述する図５及び図６参照）を圧縮する。また、排気弁部１６は、板体５が扁平袋体３のうち当該一部分（本体部３１）に押し付けられることにより圧縮された密閉空間ＳＰ１内の空気を排気する。
【００３２】  このような場合、板体５に体重を加えることができるので、従来の圧縮収納袋と比較して、加える腕の力をそれほど大きくしなくても、電気掃除機を用いた場合と同様に短い時間で密閉空間を圧縮することができる。即ち、板体５に均等に体重を加えることで板体５の下になる部分を効果的に圧縮することができる。そのため、例えば高齢者の女性であっても、密閉空間を短時間で十分に圧縮することができる。即ち、本実施の形態の圧縮収納袋１によれば、密閉空間を効率良く圧縮することができ、密閉空間内の空気を効率良く排気することができるので、狭い密閉空間内に被収納物を効率良く圧縮して収納することができる。
【００３３】  上記特許文献２には、袋体をロール状に巻き付けることにより排気する技術が開示されている。上記特許文献２には、電気掃除機等の吸引装置を用いることが困難な場合にも、圧縮収納袋を支障なく使用することができる、と記載されている。
【００３４】  しかし、袋体が透明且つ柔らかいプラスチックフィルム等よりなる場合には、袋体を形状精度良くロール状に巻き付けることは困難である。また、袋体を形状精度良くロール状に巻き付けることができないと、袋体内に形成された密閉空間のうち、ロール状に巻き付けられた部分の内部の空気を、密閉空間のうちロール状に巻き付けられていない部分に効率良く追い出すことができない。或いは、密閉空間のうちロール状に巻き付けられていない部分を例えば手で押して圧縮したときに、空気が密閉空間のうちロール状に巻き付けられた部分に戻ってしまうために、密閉空間を効率良く圧縮することができず、密閉空間内の空気を効率良く排気することができない。
【００３５】  一方、本実施の形態の圧縮収納袋１では、扁平袋体３の端部８には、内部に板体５が収容された扁平筒体４の側部９が接続され、扁平筒体４の側部１０は、平面視において扁平袋体３と重なり、扁平筒体４は、平面視において扁平袋体３と重なっている。そのため、内部に板体５が収容された扁平筒体４を折り曲げることにより、扁平袋体３は、扁平筒体４内に収容された板体５の周りに扁平筒体４を介して巻き付け可能である。これにより、板体５の周りに扁平袋体３を形状精度良くロール状に巻き付けることができるので、扁平袋体３内に形成された密閉空間のうち、ロール状に巻き付けられた部分の内部の空気を、密閉空間のうちロール状に巻き付けられていない部分に効率良く追い出すことができる。また、密閉空間のうちロール状に巻き付けられていない部分を例えば手で押して圧縮したときに、空気が密閉空間のうちロール状に巻き付けられた部分に戻りにくいので、密閉空間を効率良く圧縮することができ、密閉空間内の空気を効率良く排気することができる。
【００３６】  即ち、本実施の形態の圧縮収納袋１では、板体５は、扁平筒体４内に収容された板体５の周りに扁平筒体４を介して扁平袋体３が巻き付けられることにより、密閉空間を圧縮する。また、排気弁部１６は、圧縮された密閉空間内の空気を排気する。
【００３７】  上記特許文献３に記載された技術では、扁平筒体の側部に代えて中央部が、上端部に開口部を備えた袋体の下端部に接続される。また、上記特許文献３に記載された技術では、板体は、圧縮された物品の平面視における形状を例えば平行六面体の形状に整えるためのものであり、そのため、板体は、板体の周りに袋体が巻き付けられるためのものではなく、板体の周りに袋体を巻き付けて密閉空間を圧縮するためのものでもない。また、排気弁部は、扁平袋体が板体の周りに巻き付けられることにより圧縮された密閉空間内の空気を排気するためのものではない。
【００３８】  一方、本実施の形態の圧縮収納袋１では、前述したように、扁平袋体３は、板体５の周りに巻き付け可能であり、板体５は、扁平筒体４内に収容された板体５の周りに扁平袋体３が巻き付けられることにより密閉空間ＳＰ１（後述する図５及び図６参照）を圧縮し、排気弁部１６は、板体５の周りに扁平袋体３が巻き付けられることにより圧縮された密閉空間ＳＰ１内の空気を排気する。これにより、密閉空間を効率良く圧縮することができ、密閉空間内の空気を効率良く排気することができるので、狭い密閉空間内に被収納物を効率良く圧縮して収納することができる。
【００３９】  なお、本実施の形態の圧縮収納袋１では、電気掃除機を用いない場合でも布団等大きな被収納物を圧縮して収納できるようにしたものであるが、電気掃除機を排気弁部１６に接続し、電気掃除機により排気弁部１６を介して密閉空間内の空気を排気することにより、密閉空間を圧縮することもできる。
【００４０】  好適には、扁平袋体３は、本体部３１と、袋部３２と、を含む。本体部３１は、圧縮収納袋１を広げた状態で平面視において扁平筒体４よりも扁平袋体３の端部７側に配置されている。袋部３２は、圧縮収納袋を広げた状態で平面視において扁平筒体４と重なり、扁平筒体４よりも扁平袋体３の厚さ方向における一方の側（図３における上側）に配置され、且つ、本体部３１と連通している。
【００４１】  このような場合、扁平筒体４及び袋部３２は、扁平筒体４、即ち扁平筒体４内に収容された板体５が、扁平袋体３のうち本体部３１上に袋部３２を介して配置されるように、本体部３１に対して折り曲げ可能になる。また、板体５は、扁平袋体３のうち本体部３１に対して折り曲げられた扁平筒体４が本体部３１上に袋部３２を介して配置された状態で、扁平筒体４内に収容された板体５が扁平袋体３のうち本体部３１に袋部３２を介して押し付けられることにより、密閉空間ＳＰ１（後述する図５及び図６参照）を圧縮することになる。また、排気弁部１６は、板体５が扁平袋体３のうち本体部３１に袋部３２を介して押し付けられることにより圧縮された密閉空間ＳＰ１内の空気を排気することになる。
【００４２】  また、扁平袋体３が、本体部３１と、袋部３２と、を含む場合、被収納物２（後述する図５及び図６参照）は、本体部３１内及び袋部３２内に収納されることができる。
【００４３】  好適には、扁平袋体３は、袋部３３を含む。袋部３３は、圧縮収納袋を広げた状態で平面視において扁平筒体４と重なり、扁平筒体４よりも扁平袋体３の厚さ方向における一方の側と反対側（図３における下側）、即ち扁平筒体４を中心として袋部３２と反対側に配置され、且つ、本体部３１と連通している。このような場合、以下に説明するように、圧縮収納袋１を容易に製造することができる。
【００４４】  扁平袋体３が本体部３１と、袋部３２と、袋部３３とを含む場合、本体部３１は、フィルム部３１ａと、フィルム部３１ｂと、を有する。フィルム部３１ｂは、フィルム部３１ａよりも扁平袋体３の厚さ方向における一方の側と反対側（図３における下側）に配置されている。袋部３２は、フィルム部３２ａと、フィルム部３２ｂと、を有する。フィルム部３２ａは、フィルム部３１ａと同一のフィルムにより一体に形成されている。フィルム部３２ｂは、フィルム部３２ａよりも扁平袋体３の厚さ方向における一方の側と反対側（図３における下側）に配置されている。袋部３３は、フィルム部３３ａと、フィルム部３３ｂと、を有する。フィルム部３３ａは、フィルム部３１ｂと同一のフィルムにより一体に形成されている。フィルム部３３ｂは、フィルム部３３ａよりも扁平袋体３の厚さ方向における一方の側（図３における上側）に配置されている。フィルム部３２ｂとフィルム部３３ｂとは、同一のフィルムが折り曲げられることにより形成されている。
【００４５】  例えば、フィルム部３２ａのフィルム部３１ａ側と反対側の部分３２ｃ、フィルム部３２ｂの、フィルム部３３ｂと接続されている側と反対側、即ち本体部３１側と反対側の部分３２ｄ、フィルム部３３ａのフィルム部３１ｂ側と反対側の部分３３ｃ、及び、フィルム部３３ｂの、フィルム部３２ｂと接続されている側と反対側、即ち本体部３１側と反対側の部分３３ｄが接着されることにより、本体部３１、袋部３２、袋部３３及び扁平筒体４が形成される。扁平筒体４は、フィルム部３２ｂと、フィルム部３３ｂと、を有する。圧縮収納袋１がこのような構造を有する場合、圧縮収納袋１を容易に製造することができる。
【００４６】  本体部３１においては、フィルム部３１ａの周縁部の一部（後述する方向ＤＲ２における両端部）である部分３１ｃが、フィルム部３１ｂの周縁部の一部（後述する方向ＤＲ２における両端部）である部分３１ｄと接着されている。また、袋部３２においては、フィルム部３２ａの周縁部の一部（後述する方向ＤＲ２における両端部）である部分３２ｅが、フィルム部３２ｂの周縁部の一部（後述する方向ＤＲ２における両端部）である部分３２ｆと接着されている。また、袋部３３においては、フィルム部３３ａの周縁部の一部（後述する方向ＤＲ２における両端部）である部分３３ｅが、フィルム部３３ｂの周縁部の一部（後述する方向ＤＲ２における両端部）である部分３３ｆと接着されている。また、扁平筒体４においては、フィルム部３２ｂの周縁部の一部（後述する方向ＤＲ２における両端部）である部分３２ｆは、フィルム部３３ｂの周縁部の一部（後述する方向ＤＲ２における両端部）である部分３３ｆと接着されておらず、これにより、扁平筒体４が形成されている。
【００４７】  袋体がこのような扁平袋体よりなる場合、上記したように、平面上に圧縮収納袋を広げた場合でも、圧縮収納袋を折り畳んだ場合でも、圧縮収納袋の厚さが薄いので、圧縮収納袋がかさばらず、容易に取り扱うことができる。
【００４８】  なお、扁平筒体４が有するフィルム部３２ｂ及びフィルム部３３ｂは、１枚のフィルムが折り曲げられることにより形成されていなくてもよく、例えば２枚のフィルムにより形成されたものでもよい。
【００４９】  フィルム部３１ａ、３１ｂ、３２ａ、３２ｂ、３３ａ及び３３ｂを形成するフィルムとしては、透明で、且つ可撓性を有していて柔らかければよく、材質は特に限定されないが、例えばポリエチレン・ナイロン等の樹脂フィルム、即ちプラスチックフィルムを用いることができる。扁平袋体３が透明であることにより、扁平袋体３内に収納されている被収納物が何であるかが外部から識別しやすく、扁平筒体４内における板体５の有無及び位置が外部から識別しやすくなる。また、扁平袋体３が柔らかいことにより、扁平袋体３が、扁平筒体４内に収容された板体５の周りに扁平筒体４を介して巻き付けやすくなるので、密閉空間を効率良く圧縮することができ、密閉空間内の空気を効率良く排気することができる。
【００５０】  なお、封止部１５として、例えばポリエチレン等よりなるものを用いることができ、排気弁部１６として、例えばポリエチレン・ナイロン等よりなるものを用いることができる。
【００５１】  前述したように、扁平袋体３は、本体部３１と、袋部３２と、袋部３３と、を含むことが好ましいものの、袋部３３を含まず、本体部３１及び袋部３２のみを含むものでもよい。扁平袋体３が本体部３１及び袋部３２のみを含む場合、図示は省略するが、圧縮収納袋１は、フィルム部３３ａを有さず、例えばフィルム部３３ｂが、フィルム部３１ｂと同一のフィルムにより一体に形成されるか、又は、フィルム部３１ｂと接着されることになる。また、扁平袋体３が本体部３１及び袋部３２のみを含む場合でも、扁平袋体３が、本体部３１と、袋部３２と、袋部３３と、を含む場合と同様に、密閉空間内に被収納物を効率良く圧縮して収納することができる。
【００５２】  また、前述したように、扁平袋体３は、本体部３１と、袋部３２と、袋部３３と、を含むことが好ましいものの、袋部３２及び袋部３３のいずれも含まず、本体部３１のみを含むものでもよい。このような場合、図示は省略するが、圧縮収納袋１は、フィルム部３２ａを有さず、例えばフィルム部３２ｂが、フィルム部３１ａと同一のフィルムにより一体に形成されるか、又は、フィルム部３１ａと接着されることになる。また、圧縮収納袋１は、フィルム部３３ａを有さず、例えばフィルム部３３ｂが、フィルム部３１ｂと同一のフィルムにより一体に形成されるか、又は、フィルム部３１ｂと接着されることになる。また、扁平袋体３が本体部３１のみを含む場合、扁平筒体４の側部９に代えて側部１０が扁平袋体３の端部８と接続され、且つ、側部９が扁平袋体３とは平面視において重ならないことになる。また、扁平袋体３が本体部３１のみを含む場合でも、扁平袋体３が、本体部３１と、袋部３２と、袋部３３と、を含む場合と同様に、密閉空間内に被収納物を効率良く圧縮して収納することができる。
【００５３】  平面上に圧縮収納袋１を広げた場合を考える。扁平袋体３の端部８から端部７に向かう方向を方向ＤＲ１とする。このような場合には、平面視において、扁平袋体３は、平面視において、方向ＤＲ１における一方の側の端部７、及び、平面視において、方向ＤＲ１における一方の側と反対側の端部８を含むことになる。また、扁平筒体４の軸方向を方向ＤＲ２とする。このような場合には、方向ＤＲ２は、平面視において、方向ＤＲ１と交差、好適には直交し、扁平筒体４の幅方向は、方向ＤＲ１であり、扁平筒体４は、扁平筒体４の幅方向である方向ＤＲ１における扁平袋体３側と反対側の側部９、及び、方向ＤＲ１における扁平袋体３側の側部１０を含むことになる。
【００５４】  方向ＤＲ１における本体部３１の長さを長さＬＮ１とし、方向ＤＲ１における板体５の幅を幅ＷＤ１としたとき、長さＬＮ１に対する幅ＷＤ１の比である比（ＷＤ１／ＬＮ１）が、１／３以上１／２未満であることが好ましい。
【００５５】  比（ＷＤ１／ＬＮ１）が１／２未満の場合、内部に板体５が収容された扁平筒体４を１回折り曲げたときに、本体部３１のうち本体部３１上に板体５が配置されていない部分の方向ＤＲ１における長さが、本体部３１のうち本体部３１上に板体５が配置されている部分の方向ＤＲ１における長さよりも長くなる。従って、本体部３１のうち本体部３１上に板体５が配置されていない部分に排気弁部１６が設けられていれば、圧縮された密閉空間内の空気を排気弁部１６から効率良く排気することができるので、比（ＷＤ１／ＬＮ１）が１／２未満の場合、比（ＷＤ１／ＬＮ１）が１／２以上の場合に比べて、密閉空間を効率良く圧縮することができる。
【００５６】  一方、比（ＷＤ１／ＬＮ１）が１／３以上の場合、内部に板体５が収容された扁平筒体４を１回折り曲げたときに、扁平袋体３のうち平面視において板体５と重なる部分の方向ＤＲ１における長さが、扁平袋体３のうち平面視において板体５と重ならない部分の方向ＤＲ１における長さよりも長くなる。従って、扁平袋体３のうち平面視において板体５と重ならない部分に排気弁部１６が設けられていれば、圧縮された密閉空間内の空気を排気弁部１６から効率良く排気することができるので、比（ＷＤ１／ＬＮ１）が１／３以上の場合、比（ＷＤ１／ＬＮ１）が１／３未満の場合に比べて、密閉空間を効率良く圧縮することができる。
【００５７】  なお、一般的には、方向ＤＲ１における扁平筒体４の幅ＷＤ２は、板体５の幅ＷＤ１よりも少し広いものの、扁平筒体４の幅ＷＤ２が板体５の幅ＷＤ１に略等しいときは、上記した理由と同様の理由により、長さＬＮ１に対する幅ＷＤ２の比である比（ＷＤ２／ＬＮ１）が、１／３以上１／２以下であることが好ましい。
【００５８】  また、方向ＤＲ２における扁平袋体３の幅を幅ＷＤ３とし、方向ＤＲ２における板体５の長さを長さＬＮ２としたとき、幅ＷＤ３に対する長さＬＮ２の比である比（ＬＮ２／ＷＤ３）が、０．８以上１．０以下であることが好ましい。比（ＬＮ２／ＷＤ３）が０．８以上の場合、比（ＬＮ２／ＷＤ３）が０．８未満の場合に比べ、板体５の長さＬＮ２が短くなりすぎず、密閉空間を効率良く圧縮することができる。また、比（ＬＮ２／ＷＤ３）が１．０以下の場合、比（ＬＮ２／ＷＤ３）が１．０を超える場合に比べ、板体５の長さＬＮ２が長くなりすぎず、方向ＤＲ２において、板体５の両端部のいずれかが扁平袋体３の幅ＷＤ３を超えてはみ出すことを防止することができる。
【００５９】  なお、一般的には、方向ＤＲ２における扁平筒体４の長さＬＮ３は、板体５の長さＬＮ２よりも少し長いものの、圧縮収納袋１の方向ＤＲ２における幅を揃えて製造、輸送及び販売をしやすくする観点から、扁平筒体４の長さＬＮ３は、扁平袋体３の幅ＷＤ３と略等しく、例えば長さＬＮ３に対する長さＬＮ２の比である比（ＬＮ２／ＬＮ３）も、０．８以上１．０以下であることが好ましい。
【００６０】  図４に示すように、好適には、例えば扁平筒体４（図１及び図２参照）の軸方向（図１及び図２の方向ＤＲ２）における板体５の両端部、即ち端部１７及び１８の各々は、軸方向における板体５の中央部１９に対して折り曲げ可能であり、中央部１９は、互いに折り曲げ可能な部分１９ａ及び部分１９ｂを有する。このような場合、板体５は、扁平筒体４の幅方向（図１及び図２の方向ＤＲ１）にそれぞれ沿った３本の折れ線により四つ折りに折り畳み可能である。これにより、扁平筒体４の軸方向における板体５の長さが長い場合、即ち扁平筒体４の軸方向における扁平袋体３の幅が広いか又は扁平筒体４の長さが長い場合でも、板体５を折り畳むことができる。そのため、圧縮収納袋を使用しないとき、即ち圧縮収納袋の内部に被収納物を収納していないときに、圧縮収納袋自身を折り畳んで小さくすることができ、狭い場所でも容易に保管することができるか、又は、キャリーバッグ等に入れて容易に持ち運ぶことができる。
【００６１】  なお、図４では、板体５が四つ折りに折り畳み可能である場合を例示して説明したが、板体５は、扁平筒体４の幅方向（図１及び図２の方向ＤＲ１）に沿った１本の折れ線により二つ折りに折り畳み可能であってもよく、扁平筒体４の幅方向（図１及び図２の方向ＤＲ１）にそれぞれ沿った２本の折れ線により三つ折りに折り畳み可能であってもよい。即ち、扁平筒体４内に収容された板体５の、扁平筒体４の軸方向（図１及び図２の方向ＤＲ２）における一方の側の第１部分は、扁平筒体４内に収容された板体５の、第１部分よりも扁平筒体４の軸方向（図１及び図２の方向ＤＲ２）における一方の側と反対側の第２部分に対して折り曲げ可能である。このような場合でも、圧縮収納袋を使用しないときに、圧縮収納袋自身を折り畳んで小さくすることができる。
【００６２】  ＜圧縮収納袋の使用手順＞
次に、本実施の形態の圧縮収納袋の使用手順について説明する。図５及び図６は、実施の形態の圧縮収納袋の使用手順を示す断面図である。図５及び図６は、図１及び図２のＡ−Ａ線に沿った断面図に相当する断面図であり、図３の断面図に相当する断面図である。
【００６３】  まず、図５に示すように、圧縮収納袋１に、被収納物２を収納する。具体的には、扁平袋体３の端部７に形成された開口部６から、扁平袋体３の内部に、衣類又は寝具類よりなる被収納物２を収納する。図５に示すように、扁平袋体３が、本体部３１と、袋部３２と、を含む場合、被収納物２を、本体部３１内及び袋部３２内に収納することができる。
【００６４】  次に、図５に示すように、開口部６を封止する。具体的には、封止部１５としてのジッパーシステムを閉じることにより、開口部６を封止して扁平袋体３内に密閉空間ＳＰ１を形成する。
【００６５】  次に、図６に示すように、密閉空間ＳＰ１を圧縮する。具体的には、内部に板体５が収容された扁平筒体４を本体部３１に対して折り曲げ、本体部３１に対して折り曲げられた扁平筒体４が本体部３１上に袋部３２を介して配置された状態で、扁平筒体４内に収容された板体５を本体部３１に袋部３２を介して押し付けることにより、密閉空間ＳＰ１を圧縮する。そして、扁平筒体４内に収容された板体５が本体部３１に袋部３２を介して押し付けられることにより圧縮された密閉空間ＳＰ１内の空気を排気弁部１６により排気する。これにより、密閉空間ＳＰ１を効率良く圧縮することができ、密閉空間ＳＰ１内の空気を効率良く排気することができる。
【００６６】  なお、図６では、内部に板体５が収容された扁平筒体４を１回だけ折り曲げた状態を示している。しかし、図示は省略するが、扁平筒体４を扁平袋体３に対して２回折り曲げ、折り曲げられた扁平筒体４が本体部３１上に配置された状態で、扁平筒体４内に収容された板体５を本体部３１に押し付けてもよく、このような方法でも、密閉空間ＳＰ１を効率良く圧縮することができる。
【００６７】  以上、本考案者によってなされた考案をその実施の形態に基づき具体的に説明したが、本考案は前記実施の形態に限定されるものではなく、その要旨を逸脱しない範囲で種々変更可能であることは言うまでもない。
【００６８】  本考案の思想の範疇において、当業者であれば、各種の変更例及び修正例に想到し得るものであり、それら変更例及び修正例についても本考案の範囲に属するものと了解される。
【００６９】  例えば、前述の各実施の形態に対して、当業者が適宜、構成要素の追加、削除若しくは設計変更を行ったもの、又は、工程の追加、省略若しくは条件変更を行ったものも、本考案の要旨を備えている限り、本考案の範囲に含まれる。
【符号の説明】
【００７０】  １  圧縮収納袋
２  被収納物
３  扁平袋体
４  扁平筒体
５  板体
６、１３、１４  開口部
７、８、１１、１２、１７、１８  端部
９、１０  側部
１５  封止部
１６  排気弁部
１９  中央部
１９ａ、１９ｂ  部分
３１  本体部
３１ａ、３１ｂ、３２ａ、３２ｂ、３３ａ、３３ｂ  フィルム部
３１ｃ、３１ｄ、３２ｃ〜３２ｆ、３３ｃ〜３３ｆ  部分
３２、３３  袋部
ＤＲ１、ＤＲ２  方向
ＬＮ１〜ＬＮ３  長さ
ＳＰ１  密閉空間
ＷＤ１〜ＷＤ３  幅
【図１】
0003217719.tif 000003
【図２】
0003217719.tif 000004
【図３】
0003217719.tif 000005
【図４】
0003217719.tif 000006
【図５】
0003217719.tif 000007
【図６】
0003217719.tif 000008